Podtech/llm-jp-corpus-v4-ja_patent huggingface dataset:
(57)【要約】      （修正有）【課題】豆類等の機械播種後の発芽不良による収穫の減少を軽減する目的での人手による補助的播種作業において、構造がシンプルで軽く安価で、操作の簡単な方法で腰を曲げずに立ったままの状態で作業を行える道具が求められていた。【解決手段】播種作業において立ち作業による播種が出来るように、パイプ４の先端に取り付けた鋭角な先端有するヘラ５を土９に突き刺して遥動、回転する事により播種する穴８を掘ると共に、パイプ４を通り播種用の穴８に着装した種１をヘラ５の遥動、回転により生じる渦流により種１を傷つける事なしに確実に土９に埋めるものである。【選択図】    図１
2005110512.tif 000002
【特許請求の範囲】
【請求項１】
上端より種を落とし込み、下端から種を排出する開口を有する所定長さのパイプの先端部に、種が排出される空間からなる種排出部を形成して土中に突き刺す先端が鋭角なヘラを設け、パイプ上部にヘラを遥動、回転させるグリップを設けた事を特徴とする種まき具。
【請求項２】
前記、種排出部の下部が鋭角に形成されている事を特徴とする、請求項１記載の種まき具。
【請求項３】
前記、種排出部がヘラの凹み部により形成されている事を特徴とする請求項１記載の種まき具。
【発明の詳細な説明】
【技術分野】
【０００１】
この技術は豆類等の播種機械の不具合による播種不良や種子自体の不良、また天候不順等での発芽不良による株数の減少を回避する為の、補助的な播種に使用する種まき具に関するものである。
【背景技術】
【０００２】
近年の減反政策における減反田には大豆を栽培するケースが多いが、播種機械で種を播いた後に気象条件や、その他の条件不備で発芽に至らない部分が所々発生する。その発芽していない所をそのままでは収穫に影響を与えるので、腰を曲げ鍬や手で穴を掘って種を播きなおしているが、非能率で非常に疲れ腰も痛くなってしまうので大変に辛い作業になっている。そこで、豆類等の機械播種後の発芽不良等による収穫の減少を軽減する目的での人手による補助的播種作業において、腰を曲げずに立ったままの状態で行える事で、作業者の身体的負荷軽減を可能とする手動種まき器が特許文献１に記載されている。
【特許文献１】特開平８−２８９６１７号公報
【発明の開示】
【発明が解決しようとする課題】
【０００３】
しかしながら、前記の手動種まき器は構造的に複雑で高価となり、操作が面倒くさく重量も重たい。また、強制的に種を土の中に埋め込むものは種に傷をつけ発芽不良の要因になるなどの諸問題がある。そこで、豆類等の機械播種後の発芽不良による収穫の減少を軽減する目的での人手による補助的播種作業において、構造がシンプルで軽く安価で、操作の簡単な方法で腰を曲げずに立ったままの状態で作業を行える道具が求められていた。
【課題を解決するための手段】
【０００４】
本発明は大豆等を播種機械で播種した後の発芽不良の部分に人手で種を蒔く時に、立ったままの状態で簡単に効率良く、楽に作業が出来る事を最大の特徴とする為に、立ち作業に適合する長さの種をガイドするパイプと、種を蒔く穴を遥動、回転にて創生するヘラと、ヘラを遥動、回転させるグリップを設けた播種に関する道具を発案した。
【発明の効果】
【０００５】
本発明の道具を使用する事で、安い経費で立ったままの状態で作業が出来ることになる。操作も簡単で、重量も軽く疲れにくく、種も自然落下の為痛まず、作業効率も上がり長時間の作業も可能になる。なおかつ大豆等の収穫が増えて農業生産者に経済的な効果を生み出すことになる。
【発明を実施するための最良の形態】
【０００６】
種を通過させるための適当な長さを有するパイプを用い、パイプを地面に立てた状態にして上部よりパイプの内部へ種を投入、落下させる事で種の地面上への配置は可能になるが、それだけでは種まき位置と深さが決まらないし、覆土は別途の作業が必要になる。そこで、種を蒔く所の地面に穴の創生と覆土をする必要があるが、その穴の創生と覆土の機能を有するヘラをパイプの先端部に設ける事で種を所定の位置に蒔く事が出来る。
【実施例】
【０００７】
以下、本発明の実施例を添付図面に基づいて説明する。
図１は手動播種具を示す。この手動播種具は大豆等の播種機械による種蒔きの後に、発芽不良を起こした部分への補助的（二次的）な種蒔きをする時に使用する道具である。この手動播種具は図１に示すように種１を案内し落し込むパイプ４と種１を着装させる所の穴８の創生と覆土をする為のヘラ５、それに遙動、回転により穴を創生する時に握るグリップ３により構成されている。
パイプ４は種１を種挿入部２より地面まで案内するもので種１のサイズより大きめであれば、その長さ、形状、材質を問うものではない。次にパイプ４の先端部に結合した、穴８を創生するヘラ５はその先端角度は土９に突っ込み易いように鋭角的な形状が望ましい。また、種１がパイプ４を出てヘラ５を通過する空間が形成されている種排出部６は、その形状的に四角、円形状を問わないが、その下部のエッジ部７はパイプを通過した種１がスムーズに所定の穴８に落ち込むように鋭角にした方が好ましいが、種１の通過部については図２に示すようにヘラ５を部分的に凹み部１０にしてもその目的は果たせるものである。ヘラ５は種１を落とし込む穴８の創生と種１を着装させた後に種１の覆土をする部分で、その穴８はパイプ４を土９に突き刺した後、上部に設けたグリップ３を遥動、回転させる事で創生する事が可能となる。これに使用する構成部品はプラスチックや金属、木材などその材質やサイズを規定するものではない。また、この手動播種具の構成部品の接続方法については例えば溶接、ネジ、接着等で可能となる。
次に使用方法について説明すると、まず、この補種具のヘラ５を土９に適当な深さ突っ込み、そしてグリップ３を両手、或いは片手で握ってヘラ５を数回ほど遥動、回転させる事で種１を落とし込む為の穴８を創生する。次に種挿入部２に種１を所定数、投入するとパイプ４から種排出部６を通過して穴８の下部付近に着装します。その後、グリップ３を数回、遥動または回転すると種が覆土された状態になります。その後は足先で鎮圧すれば充分な種蒔き完了状態となる。
【産業上の利用可能性】
【０００８】
本発明は豆類の発芽不良部分の補助的播種を、立ち作業で行う為の道具に関するものであるが、本発明は豆類に限らず他の野菜や花類の播種にも充分に活用出来るものである。
【図面の簡単な説明】
【０００９】
【図１】（ａ）は第一の発明による手動播種具の実施例を示す正面図の断面である。（ｂ）手動播種具の実施例を示す側面図の断面である。（ｃ）手動播種具の実施例を示す平面図である。
【図２】（ａ）はヘラの凹み部の形状を示す正面図である。（ｂ）はヘラの凹み部の形状を示す側面図である。（ｃ）はヘラの凹み部の形状を示す平面図である。
【符号の説明】
【００１０】
１・・・種
２・・・種挿入部
３・・・グリップ
４・・・パイプ
５・・・ヘラ
６・・・種排出部
７・・・エッジ部
８・・・穴
９・・・土
１０・・・凹み部
【図１】
2005110512.tif 000003
【図２】
2005110512.tif 000004
(57)【要約】【課題】  断面が横長角形となるように成形することによって帯域幅が広く、放射効率の高いコイルエレメントを提供する。【解決手段】  携帯電話機等のコイルアンテナに使用されている断面が円形のコイルエレメント１において、断面が横長方形となるように成形したことを特徴とするコイルエレメント。【選択図】  図１
2005110191.tif 000002
【特許請求の範囲】
【請求項１】
携帯電話機等のコイルアンテナに使用されているピアノ線、リン青銅線、ステンレス線、銅線及びピアノ線、ステンレス線に銅メッキを施した断面が円形の線材からなるコイルエレメントに於て、このコイルエレメントの断面が横長方形となるように成形したことを特徴とするコイルエレメント。
【請求項２】
断面の両側を丸みを帯びた形に成形したことを特徴とする請求項１記載のコイルエレメント。
【請求項３】
断面を横長の梯形状に成形したことを特徴とする請求項１記載のコイルエレメント。
【発明の詳細な説明】
【技術分野】
【０００１】  本発明は、現在広く利用されている携帯電話機等に取り付けられているコイルアンテナの改良に関するものである。
【背景技術】
【０００２】  従来、携帯電話機等に使用されているコイルアンテナには図４ｂに示したように、断面が円形の金属線材を螺旋状に巻いたコイルエレメントが取り付けられている。
【発明の開示】
【発明が解決しようとする課題】
【０００３】  しかし、このようなコイルアンテナは次に述べるような欠点があった。
例えば携帯電話機のような限られたスペースの中では、コイルの径やコイルのピッチの調節による大幅な特性改善は不可能であった。
本発明は従来使用されている断面が円形であるコイルエレメントを、図３に示したように断面が横長角形となるように成形することによって帯域幅が広く、放射効率の高いコイルエレメントを提供することを目的とする。
【課題を解決するための手段】
【０００４】  上記目的を達成するため本発明は、携帯電話機等のコイルアンテナに使用されている断面が円形のピアノ線、リン青銅線、ステンレス線、銅線及びピアノ線、ステンレス線に銅メッキを施したコイルエレメントに於て、このコイルエレメントの断面が横長方形となるように成形したもので、断面を横長方形の両側を丸みを帯びた形状にしたり、断面を横長の梯形状にしたものである。
【発明の効果】
【０００５】  上記のような本発明のコイルエレメントを使用したコイルアンテナには次のような効果がある。
断面が横長方形の線材をコイル状に巻いたエレメントを使用し構成したことによって帯域幅が広く取れるようになり、放射効率及び利得が極めて良好な上に大量生産が可能なので安価に提供できる。
【発明を実施するための最良の形態】
【０００６】  以下、本発明の実施の形態について説明する。
図１は本発明のコイルアンテナの側面図、図２は本発明のコイルエレメントトの側面図、図３は図２におけるＩＩＩ−ＩＩＩ拡大断面図、図４ａは従来のコイルエレメントの側面図で図４ｂは図４ａにおけるＶ−Ｖ断面図、図５はコイルエレメントの他の実施例の断面を示した図で、図中の符号Ａはコイルアンテナを示す。【０００７】  １はピアノ線、リン青銅線、ステンレス線、銅線及びピアン線、ステンレス線に銅メッキを施し、断面が横長方形となるように形成した長尺の金属線を図２に示すようにコイル状に巻いたコイルエレメントで、このコイルエレメント１の下端部は図１に示したように、取付台２の上部のエレメント取付部４に嵌着されている。
断面が横長方形のコイルエレメント１は帯域幅が広く取れ、放射効率をより良くするためには図５ａに示したように縦Ｘと横Ｙの比率が１：２〜５であることが望ましく、コイルに巻いたエレメントの内径は前記横Ｙの２．５倍以上であることが望ましい。【０００８】  取付台２は前記エレメント取付部４が上部に設けられ、その下方にキャップを取り付けるための雄ネジ５が設けられ、その下方に鍔状のキャップ受３が設けられている。【０００９】  キャップ受３はキャップ６の下部内側に設けられた雌ネジ（図示せず）を取付台２の雄ネジ５に螺合させた際、キャップ６が所定の位置で固定されるように設けられたものである。【００１０】  キャップ６は上部が有底の円筒で、取付台２に取り付けることによってコイルエレメント１を覆って保護するようになっている。【００１１】  上記のように構成された本発明を組み立てる場合は、取付台２の上部のエレメント取付部４にコイルエレメント１の一端を挿着し、雄ネジ５にキャップ６の雌ネジを螺合させてキャップ６を取付台２に固定する。
このようなコイルエレメントはホイップアンテナのトップコイル又はボトムコイル、固定式アンテナコイルとして使用できる。
【図面の簡単な説明】
【００１２】
【図１】  本発明のコイルアンテナの側面図
【図２】  本発明のコイルエレメントの側面図
【図３】  図２におけるＩＩＩ−ＩＩＩ断面図
【図４】  ａは従来のコイルエレメントの側面図、ｂはＶ−Ｖ断面図
【図５】  本発明の他の実施例の拡大端面図
【符号の説明】
【００１３】  １  コイルエレメント
２  取付台
３  キャップ受
４  エレメント取付部
５  雄ネジ
６  キャップ
７  従来のコイルエレメント
Ａ  コイルアンテナ
【図１】
2005110191.tif 000003
【図２】
2005110191.tif 000004
【図３】
2005110191.tif 000005
【図４】
2005110191.tif 000006
【図５】
2005110191.tif 000007
(57)【要約】      （修正有）【課題】従来の折りたたみ方式の携帯電話は、一方向（縦方向）のみの開閉構造で有ったため、縦横比に差異がある液晶画面を、用途に応じ、縦横を置き換え使用することが出来なかった。【解決手段】蝶番のような上下接続部の支点を一点に集約させることで、閉じた状態から直接横方向へ開けることができ、持ち方を変えるだけで、縦横比に差異がある液晶画面を用途に応じ、使用することが出来る。【選択図】図１
2005110188.tif 000002
【特許請求の範囲】
【請求項１】
折りたたみ構造を持った携帯電話における［縦方向開閉及び横方向開閉］双方の構造を併せ持つ携帯電話。
【請求項２】
前記［上下開閉及び左右開閉の機能を併せ持つ構造］は、蝶番のような構造による［上下開閉］と、その蝶番のような構造を一点の支点に固定させることで行う［左右開閉け特徴とする請求項１記載の携帯電話。
【請求項３】
前記［上下開閉及び左右開閉の機能を併せ持つ構造］は、［上下開閉］の構造だけでは得ることが出来ない液晶画面の縦横比の変動を持った視認性の向上及び機能の多様化を特徴とする。
【発明の詳細な説明】
【技術分野】
【０００１】この発明は、折りたたみ式携帯電話等の開閉構造に関する。
【背景技術】
【０００２】従来の折りたたみ式携帯電話等の開閉に用いる構造は、図３に示すように、Ｃ−Ｃ’点を中心とし、携帯電話本体▲１▼と携帯電話本体▲２▼が、蝶番のような構造の縦方向接続機構により取り付けられたものである。
【発明の開示】
【発明が解決しようとする課題】
【０００３】しかしながら、以上の技術によれば、開閉方向が、一方向のみ（縦方向のみ）と限られるために、液晶画面個々にある縦横比に変動がなく、視認性の向上や新機能の拡大などの、妨げになっていた。
そこで、この発明は、開閉が一方向のみ（縦方向のみ）だけではなく、用途に応じ、横方向への開閉が可能な横方向開閉構造を併せ持つことにより、画面の縦横比を変動させることができ、同じ液晶画面で、用途に応じ、縦横比を変動させた使用が出来ることを課題とする。
【課題を解決するための手段】
【０００４】以上の課題を解決するために、第一発明は、Ａ−Ａ’点を中心とした一方向のみ（縦方向のみ）の開閉構造となっているものを、Ｂ−Ｂ’点を中心とした横方向の開閉構造を併せ持つようにした。
また、第二発明は、Ａ−Ａ’点を中心とした蝶番のような縦方向接続機構をＢ−Ｂ’点の一点支点に集約させ、稼働するようにすることで、Ａ−Ａ’点を中心とした縦方向開閉だけでなく、Ｂ−Ｂ’点を中心とした、横方向開閉も行えることを特徴とした携帯電話（開閉構造）である。
図１及び図２を参照。
【発明の効果】
【０００５】第一発明、または第二発明によれば、開閉する方向を変えることで、液晶画面の従来一方向での限られた形（縦＝長／横＝短）だけではなく、逆方向（縦＝短／横＝長）で併用することができ、用途に応じ、表示文字方向を変えることで、視認性の向上や機能の用途拡大などにつながる。
【発明を実施するための最良の形態】
【０００６】この発明の一実施形態を、図１及び図２に示す。
携帯電話本体▲１▼と、携帯電話本体▲２▼は、蝶番のような開閉構造を、Ａ−Ａ’点を中心とした一点支点に集約させることで、横方向への開閉を可能としている。Ｂ−Ｂ’点を中心とした縦方向への開閉も可能である。【０００７】「実施形態の効果」
この実施形態によれば、Ａ−Ａ’点を中心とした支点に蝶番のような開閉構造を、集約することで、従来からの蝶番を用いた縦方向開閉以外にも、横方向へ開閉することが出来るようになった。これにより、縦横比に差異がある液晶画面を、用途に応じ、方向を変え、有効に利用出来る。【０００８】「他の実施形態」
図１の実施形態では、開閉中心Ａ−Ａ’点を、右側アンテナ部に設けたが、これは、右側及びアンテナ部へ設けなくても、左側へ設けても良い。
【図面の簡単な説明】
【０００９】
【図１】この発明の一実施形態を示す、閉じているときと、横方向へ開けたときの平面図である。
【図２】この発明の一実施形態を示す、閉じているときと、縦方向へ開けたときの平面図である。
【図３】従来技術を示す、閉じたときと、開けたときの平面図である。
【図４】この発明の一実施形態を実施したときの液晶画面の文字方向を記した平面図である。
【符号の説明】
【００１０】（１）携帯電話本体▲１▼（液晶画面部）  （２）携帯電話本体▲２▼（キーボード部）
（３）アンテナ                          （４）縦方向接続機構部
（５）横方向接続機構
【図１】
2005110188.tif 000003
【図２】
2005110188.tif 000004
【図３】
2005110188.tif 000005
【図４】
2005110188.tif 000006
(57)【要約】【課題】  携帯電話機に取り付けられている２箇のアンテナのうち、内蔵アンテナの製造方法を提供する。【解決手段】  プレス加工又はエッチングによって成形された薄い金属板のエレメント３全体を薄い機能性フィルム材１でラミネート工法によって被覆する方法で内蔵アンテナを製造する。  又、成形されたエレメント３の両面に接着剤２を介して薄い機能性フィルム材１を覆設する方法で内蔵アンテナを製造する。【選択図】  図１
2005110190.tif 000002
【特許請求の範囲】
【請求項１】
プレス加工又はエッチング加工によって成型された薄い金属板のエレメント全体を接着剤、粘着テープ、両面テープ、ホットメルト等を介在させて安価で薄い機能性フィルム材をラミネート工法によって被覆することを特徴とする内蔵アンテナの製造方法。
【請求項２】
プレス加工又はエッチング加工によって成型された薄い金属板のエレメント全体を接着剤、粘着テープ、両面テープ、ホットメルト等を介在させて安価で薄い機能性フィルム材をラミネート工法によって覆設した内蔵アンテナを、金型等を利用し、加圧加工することによって立体構造にすることを特徴とする内蔵アンテナの製造方法。
【発明の詳細な説明】
【技術分野】
【０００１】  本発明は、現在広く利用されている携帯電話機に取り付けられている２箇のアンテナ（ホイップアンテナ、内蔵アンテナ）の中の内蔵アンテナの製造方法に関するものである。
【背景技術】
【０００２】  従来、携帯電話に取り付けられている２箇のアンテナ（ホイップアンテナ、内蔵アンテナ）は両者の何れか強く受信した方のアンテナを自動的に選択して使用されるようになっていて、内蔵アンテナは図２に示したようにプレス加工、又はエッチング加工によって成形されたエレメントを高誘電率材である液晶ポリマーやＰＰＳ等のモールド樹脂の一面に埋め込むように張設することによって一体成形されていた。
【発明の開示】
【発明が解決しようとする課題】
【０００３】  しかし、このような従来の内蔵アンテナには次のような欠点があった。
液晶ポリマー、ＰＰＳ等の高誘電率材料を利用したモールド樹脂は極めて高価なものであるため、内蔵アンテナの価格が高くなり、見込み生産によって在庫させておくことが困難である上、一体成型のため生産能力にも問題があった。
従って、注文を受けてから製造するため急場の受注に間に合わず、流通業界に少なからず支障をきたしていた。
本発明は機能性フィルムを使って予め成形されたエレメントをラミネート工法によって被覆することにより、内蔵アンテナを安価に大量に製造できる製造方法を提供することを目的とする。
【課題を解決するための手段】
【０００４】  上記目的を達成するため本発明はプレス加工又はエッチングによって成形された薄い金属板のエレメント３全体を薄い機能性フィルム材１でラミネート工法によって被覆する方法で製造するものである。
又、薄い機能性フィルムで被覆されたエレメントを金型等で加圧成形し、立体構造に製造するものである。
【発明の効果】
【０００５】  上記の方法によって製造される内蔵アンテナには次のような効果がある。
液晶ポリマーやＰＰＳ等の高価な高誘電率材料の使用を避け、ＰＥＴ、ＰＰ、ポリイミドのような安価で機能性に優れたフィルム材を使用しているので、大量生産による在庫も可能になり、低価格の内蔵アンテナが提供できる。
機能性フィルム材を使ってラミネート工法、両面接着工法等によってエレメントが密封されるので、エレメントに錆が出たり、変質したりすることがなく、常に一定の性能が保たれている。
【発明を実施するための最良の形態】
【０００６】  以下、本発明の実施の形態について説明する。
図１は本発明のラミネート工法によって製造される内蔵アンテナの平面図とＩ−Ｉ断面図で、図２は従来の内蔵アンテナの平面図とＩＩ−ＩＩ断面図で、図３は加圧成形により立体構造とした内蔵アンテナの断面図で、図中の符号Ａは内蔵アンテナを示す。【０００７】  従来の内蔵アンテナは図２に示すように液晶ポリマー、ＰＰＳ等の高価なモールド樹脂板の一面に一体成形するか、接着剤２を介して接着することによって製造されていたが、本発明に於てはプレス加工又はエッチング加工によって成形された動電率の高い薄い金属板のエレメント３全体を薄い機能性フィルム材１でラミネート工法によって被覆する。【０００８】  本発明のもう一つの製造方法として、図３に示したように図１の内蔵アンテナを金型で加圧成形し、立体構造にする。
又、図３に示した立体構造の内蔵アンテナであっても本発明による機能性フィルムでのラミネート工法で大量に安価に提供できる。
【図面の簡単な説明】
【０００９】
【図１】本発明による内蔵アンテナの断面図
【図２】従来の内蔵アンテナの平面図と断面図
【図３】本発明の他の実施例（立体構造）による内蔵アンテナの断面図
【符号の説明】
【００１０】１  機能性フィルム材
２  接着剤
３  エレメント
Ａ  内蔵アンテナ
【図１】
2005110190.tif 000003
【図２】
2005110190.tif 000004
【図３】
2005110190.tif 000005
(57)【要約】【課題】  携帯電話は利便性が高く世界的に普及した。しかし携帯電話事業へのインフラ整備に多額の資金が必要なために参入しづらく、料金が高い。インターネット電話は料金を安くすることが可能であるが、そのインフラ整備に多額の資金が必要で参入しづらかった。【解決手段】  インターネット専用携帯電話端末は電子手帳でインターネットができるように利用されている。電話機や携帯電話にそのインターネット専用電話端末を差込利用できるようにすれば、大規模な通信インフラの整備を行わなくても、既存のインフラを利用してインターネット電話事業に参入できる。インターネット専用携帯電話端末を装着して通話できる電話機及び携帯電話とそれを利用したビジネスモデルである。そのインターネット電話機及び携帯電話機に広告を配信することによって収益を増し、料金のコストダウンを図る。【選択図】  図１
2005110186.tif 000002
【特許請求の範囲】
【請求項１】
インターネット専用携帯電話端末を装着して通話できる電話機。電子手帳にイヤホンマイクを付け足す方式ではなく、受話器や受話器型携帯電話を利用する方式。電話機や携帯電話にインターネット専用携帯電話端末を装着してインターネット電話が行えるソフトウエアを含む装置（Ａ）。
【請求項２】
（Ａ）を利用したインターネット電話事業の次のようなビジネスモデル。通信回線を保持する必要がないので大規模な投資が必要な第一種通信事業者としてではなく、既存の回線を利用する第二種通信事業者として比較して少ない投資で通話事業が開始できる。通話相手先限定サービスを利用すれば、インターネット接続料のコストダウンが図れる。この事業を開始し、相応の顧客を獲得後に自前の通信施設を設置し、もともとの第一種通信事業者からの依存を解消する方式。全ての回線を自前で用意する方法と全てを自前回線で行わないでローミングを行う方式。その際に既存のインターネット専用携帯電話端末ではなくインターネット専用携帯端末を電話機又は携帯電話と一体化したもの（Ｂ）も利用していく方式。
【請求項３】
広告配信数による受取契約を結ぶビジネスモデル。（Ａ）及び（Ｂ）の利用者が広告配信の受取数によって利用料金を下げ顧客にメリットを与える方式。
【発明の詳細な説明】
【技術分野】
【０００１】        インターネット専用携帯電話端末が電子手帳やパソコンに利用されている。この回線を利用して通話を行おうとするとイアホンとマイクが必要になる。電話としては使いにくいものであった。本発明はインターネット専用携帯電話端末を利用するインターネット電話機と携帯電話機である。電話機や携帯電話にインターネット専用携帯電話端末を装着してインターネット電話が行えるソフトウエアを含む装置（Ａ）。
（Ａ）を利用したインターネット電話事業の次のようなビジネスモデル。通信回線を保持する必要がないので大規模な投資が必要な第一種通信事業者としてではなく、既存の回線を利用する第二種通信事業者として比較して少ない投資で通話事業が開始できる。通話相手先限定サービスを利用すれば、インターネット接続料のコストダウンが図れる。この事業を開始し、相応の顧客を獲得後に自前の通信施設を設置し、もともとの第一種通信事業者からの依存を解消することができる。全ての回線を自前で用意する方法と全てを自前回線で行わないでローミングを行う方式ができる。その際に既存のインターネット専用携帯電話端末ではなくインターネット専用携帯端末を電話機又は携帯電話と一体化したもの（Ｂ）も利用していく方式である。
広告配信数による受取契約を結ぶビジネスモデル。（Ａ）及び（Ｂ）の利用者が広告配信の受取数によって利用料金を下げ顧客にメリットを与える方式である。広告配信数が一定数暈を越えると利用料金を広告収入でまかない無料にすることが可能となり大きな競争力を持てる。
【背景技術】
【０００２】        インターネット電話はすでに固定型電話では普及しつつある。携帯電話はまだインターネット電話がほとんど利用されていない。従来は電話事業参入には膨大は費用が必要であった。本発明は通信施設を持つ第一種通信事業者でなくては難しかった電話通話事業に通信施設を持たない第二種通信事業者にインターネット専用携帯電話端末を利用することによって電話通話事業を開始できるようにした。広告契約を電話利用者と結ぶことによって利用料の低減を図ることができる。【特許文献】
【０００３】
【発明の開示】
【発明が解決しようとする課題】
【０００４】      携帯電話は利便性が高く世界的に普及した。しかし携帯電話事業へのインフラ整備に多額の資金が必要なために参入しづらく、料金が高い。インターネット電話は料金を安くすることが可能であるが、そのインフラ整備に多額の資金が必要で参入しづらかった。
【課題を解決するための手段】
【０００５】      インターネット専用携帯電話端末は電子手帳でインターネットができるように利用されている。電話機や携帯電話にそのインターネット専用電話端末を差込利用できるようにすれば、大規模な通信インフラの整備を行わなくても、既存のインフラを利用してインターネット電話事業に参入できる。インターネット専用携帯電話端末を装着して通話できる電話機及び携帯電話とそれを利用したビジネスモデルである。そのインターネット電話機及び携帯電話機に広告を配信することによって収益を増し、料金のコストダウンを図る。
【発明の効果】
【０００６】      数少ない企業によって行われている携帯電話事業がインターネット携帯電話端末を利用した電話機及び携帯電話の登場によって市場の競争が促され、利用料金が下がり、利用者が安価な通話サービスを受けることができる。
【発明を実施するための最良の形態】
【０００７】      インターネット携帯電話端末利用した電話機及び携帯電話機を製造し、市場で販売する。利用者から利用料を徴収し、運営していく。
【実施例】
【０００８】      インターネット携帯電話端末利用した電話機及び携帯電話機を製造し、市場で販売する。利用者から利用料を徴収し、運営していく。
【産業上の利用可能性】
【０００９】      インターネット携帯電話端末利用した電話機及び携帯電話機を製造し、市場で販売する。利用者から利用料を徴収し、運営していく。
【図面の簡単な説明】
【００１０】
【図１】インターネット専用携帯電話端を利用したインターネット電話機とインターネット携帯電話
【図１】
2005110186.tif 000003
(57)【要約】【課題】  コンパレータ、基準電圧回路、トリミング抵抗を含む電圧分割回路とからなる電圧比較回路において、入力電圧のトリミング抵抗部のフューズカットが行われた後、入力電圧の再調整ができないという課題があった。【解決手段】  基準電圧回路及び電圧分割回路両方に出力電圧調整手段を具備し、片方のトリミング抵抗部フューズカットが行われた後も、もう片方のトリミング抵抗部フューズカットにより、入力電圧の再調整を可能にする。【選択図】    図１
2005110156.tif 000002
【特許請求の範囲】
【請求項１】
コンパレータと、基準電圧回路と、トリミング部を有する電圧分割回路とからなる電圧比較回路において、該基準電圧回路及び該電圧分割回路両方に出力電圧調整手段を具備することを特徴とする電圧比較回路。
【請求項２】
基準電圧回路及び電圧分割回路の出力電圧調整手段が、フューズカット又はスイッチのＯＮ／ＯＦＦにより行うことを特徴とする請求項１に記載の電圧比較回路。
【請求項３】
該コンパレータの代わりにエラーアンプを構成したことを特徴とする請求項１又は２に記載の電圧比較回路。
【発明の詳細な説明】
【技術分野】
【０００１】
この発明は、コンパレータと、基準電圧回路と、電圧分割回路とからなる電圧比較回路に於いて、該コンパレータ入力電圧の２段階の調整が可能な電圧比較回路に関する。
【背景技術】
【０００２】
従来の電圧比較回路としては、図４の回路図に示すような回路が知られていた。即ち、電圧分割回路１、基準電圧回路２、コンパレータ３で構成されている。（例えば、特許文献１の図４参照。）。
該電圧分割回路１は、出力電圧調整用のフューズを具備したトリミング抵抗部１４と、抵抗１１、１２で構成されている。該コンパレータ３の出力は、２入力であるＡ点電圧とＢ点電圧の比較結果が出力される。Ａ点電圧は該電圧分割回路１の出力電圧Ｖａ（以下Ｖａと記載する）、Ｂ点電圧は基準電圧回路２の出力電圧Ｖｂ（以下Ｖｂと記載する）がそれぞれ入力される。ここで、トリミング抵抗部１４のフューズカットにより電圧分割回路に付加される抵抗をＲｔとすると、コンパレータ３の出力電圧が反転する時の該電圧分割回路１の入力電圧Ｖｉｎは、この時のＶｉｎ電圧をＶｉｎ０として、以下の式によって求められる。
【０００３】
Ｖｉｎ０＝Ｖａ×（（Ｒｔ＋Ｒ１＋Ｒ２）／（Ｒ２））
【特許文献１】特開２０００−１１１５８９号公報
【発明の開示】
【発明が解決しようとする課題】
【０００４】
しかしながら、図４のように構成された従来の電圧比較回路においては、トリミング抵抗部１４のフューズカットが行われた後、コンパレータ３の入力電圧の再調整ができないという問題点があった。
そこで本発明の目的は、従来のこのような課題を解決するため、基準電圧回路及び電圧分割回路両方に出力電圧調整手段を具備し、片方のトリミング抵抗部フューズカットが行われた後も、コンパレータの入力電圧の再調整を可能にすることである。
【課題を解決するための手段】
【０００５】
上記問題点を解決するために、本発明の電圧比較回路においては、基準電圧回路及び電圧分割回路両方に出力電圧調整手段を具備し、片方のトリミング抵抗部のフューズカットが行われた後も、コンパレータの入力電圧の再調整が可能な回路構成とした。
【発明の効果】
【０００６】
本発明の電圧比較回路は、２入力電圧の両方に電圧調整手段を具備することで、入力電圧の２段階の調整ができるという効果がある。
【発明を実施するための最良の形態】
【０００７】
以下に、本発明の実施の形態を図面に基づいて説明する。
【実施例１】
【０００８】
図１は本発明の第1の実施例を示し、電圧検出回路の第１の実施例を示す回路図である。図１では、可変基準電圧回路２０の出力と、電圧分割回路１の出力が、コンパレータ３の入力端子にそれぞれ接続されている。電圧分割回路１はトリミング抵抗部１４を具備しているため、フューズカットにより出力電圧Ｖａの調整が可能な構成となっている。可変基準電圧回路２０も出力電圧が可変であり、Ｖｂの調整が可能な構成となっている。コンパレータ３の２入力電圧両方に、電圧調整手段を具備することで、片方の入力電圧を調整した後、もう片方の調整ができる為、入力電圧の再調整が可能な構成となっている。
また、図２は、図１中の可変基準電圧回路２０の具体例である。定電圧出力回路２５の出力電圧を、電圧分割回路２３に入力している。トリミング抵抗部２４のフューズカットにより、電圧分割回路２３の出力電圧を調整可能であり、上記の動作が実現できる。
【実施例２】
【０００９】
図３は本発明の第２の実施例を示す電圧比較回路である。電圧分割回路１の出力を調整する手段が、トリミング抵抗部１０に具備されているＳＷのＯＮ／ＯＦＦによって実現されている。このトリミング抵抗部１０に具備されているＳＷは、トリミング調整回路４の電気的信号によってＯＮ／ＯＦＦ制御される。更に、可変基準電圧回路20も出力電圧が可変なことにより、入力電圧の２段階の調整が可能な構成となっている。
なお、図中では電圧分割回路の出力を調整する手段としてＳＷを具備したトリミング抵抗部を用いているが、基準電圧回路の出力を調整する手段としてＳＷを具備したトリミング抵抗部を用いても同じことが言える。
【実施例３】
【００１０】
図１の第１の実施例を示す回路図のうち、３のコンパレータをエラーアンプに置き換えたものが実施例３の電圧比較回路となる。効果としては、実施例１と同様に入力電圧の２段階の調整が可能な構成となっている。
【実施例４】
【００１１】
図３の第２の実施例を示す回路図のうち、３のコンパレータをエラーアンプに置き換えたものが実施例４の電圧比較回路となる。効果としては、実施例３と同様に入力電圧の２段階の調整が可能な構成となっている。
【図面の簡単な説明】
【００１２】
【図１】本発明の第１の実施例の電圧比較回路の説明図である。
【図２】本発明の第１の実施例の可変基準電圧回路の例である。
【図３】本発明の第２の実施例の電圧比較回路の説明図である。
【図４】従来の電圧比較回路の説明図である。
【符号の説明】
【００１３】
１、２３                    電圧分割回路
２                          基準電圧回路
３                          コンパレータ、エラーアンプ
４                          トリミング調整回路
１０、１４、２４            トリミング抵抗部
１１、１２、２１、２２      抵抗
２０                        可変基準電圧回路
２５                        定電圧出力回路
【図１】
2005110156.tif 000003
【図２】
2005110156.tif 000004
【図３】
2005110156.tif 000005
【図４】
2005110156.tif 000006
(57)【要約】【課題】本発明は、分電盤において、着脱が容易であり組み立ても簡単にできる金属と樹脂を組み合わせて構成される配線覆い１を提供することを目的としている。【解決手段】本発明に係る配線覆い１は、左右には樹脂製のガイド２を上下には金属製のフレーム３を配し、ガイド２とフレーム３には樹脂製のブレーカの操作ハンドルを突出させる突出孔を形成したカバー５を嵌合させ、着脱が容易であると共に組み立ても簡単にできることを特徴とする。【選択図】図１
2005110381.tif 000002
【特許請求の範囲】
【請求項１】
ブレーカ等の電気機器を載置する分電盤における金属と樹脂とを組み合わせて成る配線覆いの構成であって、左右には樹脂製のガイドを上下には金属製のフレームを配し、前記ガイドとフレームには樹脂製の前記ブレーカの操作ハンドルを突出させる突出孔を形成したカバーを嵌合させることを特徴とする配線覆いの構成。
【発明の詳細な説明】
【技術分野】
【０００１】
本発明は、ブレーカ等の電気機器を載置する分電盤における金属と樹脂とを組み合わせて成る配線覆いの構成に関するものである。
【背景技術】
【０００２】
従来、図３に示すように、金属製の分電盤に用いる配線覆い２１は、配線覆い２１のハンドル部２２以外は金属製であり、ハンドル部２２のみ樹脂で形成していた。
【０００３】
また、図４に示すように、分電盤に載置されるブレーカ等の操作ハンドルを突出させる操作孔２３を設けたカバー部分２４を樹脂製とし、その周辺を金属で囲うという配線覆い２５もあった。
【非特許文献１】２００３ カワムラカタログ  電設資材編  ＮＯ．３４（平成１５年５月１日改訂）
【発明の開示】
【発明が解決しようとする課題】
【０００４】
しかしながら上記従来技術における配線覆いでは、重量があり、箱体に取り付けたり取り外したりする作業が大変だった。
【０００５】
また、カバー部分が樹脂製である配線覆いでは、カバー部分をたわませて金属製の枠に嵌め込んでいたため、カバー部分を曲げてしまったり、ひびや割れを発生する虞があった。
【課題を解決するための手段】
【０００６】
そこで、本発明は、着脱が容易であり、組み立ても簡単にできる配線覆いを提供することを目的とし、その構造は、左右には樹脂製のガイドを上下には金属製のフレームを配し、ガイドとフレームには樹脂製のブレーカの操作ハンドルを突出させる突出孔を形成したカバーを嵌合させることを特徴とする。
【発明の効果】
【０００７】
本発明に係る配線覆いの構成では、金属製の部分を少なくし、軽量化を図ることで着脱を容易にすることができる。また、カバーの取り付けも、たわませたりする必要がないため、変形の虞がなくなる。また、ガイドとフレームの長さをカバーに対向させて構成することで、従来用いていたカバーも使用可能となり、カバーに関して新規に金型の費用などが発生しない。
【発明を実施するための最良の形態】
【０００８】
着脱が容易であり、組み立ても簡単にできる配線覆いを提供する目的を、作業性を向上させながら実現した。
【実施例１】
【０００９】
本発明に係る配線覆いの構成を図１〜図２の添付図面に基づいて説明する。
【００１０】
配線覆い１は、樹脂製のガイド２と、金属製のフレーム３と樹脂製のスペーサ４とカバー５とから構成される。ガイド２には取っ手６が設けられ、内側には溝７を形成し、配線覆い１の左右に位置する。フレーム３の内側にはスペーサ４を取り付け、片方のガイド２の溝７にフレーム３を嵌合させる。
【００１１】
ガイド２が取り付いていない側からカバー５を差し入れ、折り曲げたりせずそのままの状態でスペーサ４にスライドさせて組み付ける。もう一方のガイド２をフレーム３に嵌合させて配線覆い１を完成させる。
【００１２】
カバー５には突出孔８が設けられ、分電盤に載置されるブレーカ等の操作ハンドルを突出させ、配線覆い１を取り外さなくてもブレーカの操作ができるようにする。
【００１３】
また、図１ではカバー５の取り付けはガイド２を軸に左右方向にスライドさせて行うが、フレーム３を軸に上下にスライドさせて取り付けてもよい。
【産業上の利用可能性】
【００１４】
カバー部は別部品であるので、従来金属枠に取りつけていたカバーもそのまま使用が可能であり、新規にカバーの金型を起こす必要がない。
【図面の簡単な説明】
【００１５】
【図１】配線覆いの分解斜視図である。（実施例１）
【図２】配線覆いの組み立て完成図である。（実施例１）
【図３】従来技術における配線覆いの説明図である。
【図４】従来技術における配線覆いの説明図である。
【符号の説明】
【００１６】
１      配線覆い
２      ガイド
３      フレーム
４      スペーサ
５      カバー
６      取っ手
７      溝
８      突出孔
【図１】
2005110381.tif 000003
【図２】
2005110381.tif 000004
【図３】
2005110381.tif 000005
【図４】
2005110381.tif 000006
(57)【要約】【課題】  従来の浴槽内用の腰掛けには下半身を温める機能を有しなかった。【解決手段】  本発明の浴槽内用の腰掛けにおいては、浴槽内に沈められる中空の箱本体に複数のスリットを設け、上記木材表面に塗装せしめた樹脂の表面に遠赤外線を放出するセラミック粒を付着せしめ、上記箱本体内に重りを入れる。上記セラミック粒は硅石であり、上記重りはマイナスイオン放出セラミックボール、トルマリンボール、遠赤外線放出ボールまたは麦飯石ボールである。【選択図】  図１
2005110926.tif 000002
【特許請求の範囲】
【請求項１】
浴槽内に沈められる箱本体と、この箱本体に塗装せしめた樹脂と、この樹脂の表面に付着せしめた遠赤外線を放出するセラミック粒とよりなることを特徴とする浴槽内用の腰掛け。
【請求項２】
浴槽内に沈められる中空の箱本体と、この箱本体に設けた複数のスリットと、上記箱本体に塗装せしめた樹脂と、この樹脂の表面に付着せしめた遠赤外線を放出するセラミック粒と、上記箱本体内に設けた重りとよりなることを特徴とする浴槽内用の腰掛け。
【請求項３】
上記重りがマイナスイオン放出セラミックボール、トルマリンボール、遠赤外線放出ボールまたは麦飯石ボールであることを特徴とする請求項２記載の浴槽内用の腰掛け。
【請求項４】
上記セラミック粒が硅石粒であることを特徴とする請求項１，２または３記載の浴槽内用の腰掛け。
【発明の詳細な説明】
【技術分野】
【０００１】
本発明は浴槽内用の腰掛け、特に、下半身浴用に使用する浴槽内に沈められる腰掛けに関するものである。
【背景技術】
【０００２】
従来、浴槽内に沈める腰掛けは知られている（特許文献１）。
【特許文献１】特開２０００−５０８８号公報（図１）
【発明の開示】
【発明が解決しようとする課題】
【０００３】
然しながら、上記従来の腰掛けには下半身を温める機能を有しなかった。
【０００４】
本発明は腰掛けによって下半身を温めるようにしたものである。
【課題を解決するための手段】
【０００５】
本発明の浴槽内用の腰掛けは、浴槽内に沈められる箱本体と、この箱本体に塗装せしめた樹脂と、この樹脂の表面に付着せしめた遠赤外線を放出するセラミック粒とよりなることを特徴とする。
【０００６】
また、本発明の浴槽内用の腰掛けは、浴槽内に沈められる中空の箱本体と、この箱本体に設けた複数のスリットと、上記箱本体に塗装せしめた樹脂と、この樹脂の表面に付着せしめた遠赤外線を放出するセラミック粒と、上記箱本体内に設けた重りとよりなることを特徴とする。
【０００７】
上記重りは、マイナスイオン放出セラミックボール、トルマリンボール、遠赤外線放出ボールまたは麦飯石ボールであることを特徴とする。
【０００８】
上記セラミック粒が硅石粒であることを特徴とする。
【発明の効果】
【０００９】
本発明の浴槽内用の腰掛けによれば、箱本体に塗装せしめた樹脂表面のセラミック粒から遠赤外線が半永久的にお湯内に放出され、お湯がまろやかになり、温まるお湯になり、体も温められるという大きな利益がある。
【００１０】
また、腰掛の重りとしてセラミックボールを加えれば、温まり効果が更に高まる。
【発明を実施するための最良の形態】
【００１１】
以下図面によって本発明の実施例を説明する。
【実施例１】
【００１２】
図１及び図２は本発明の浴槽内用の腰掛けを示し、１は檜等の木材からなる１枚または、数枚の板をそれらの毛細管の方向が互いに交互になるようクロス式に重ね合わせて耐水接着剤により接着した積層板からなる中空の箱本体、２は上記箱本体１に設けた複数のスリット、３は上記箱本体１の表面及びまたは内面に塗装せしめた樹脂、４は上記樹脂３の表面に付着せしめた硅石等のセラミック粒、５は上記箱本体１内に設けた、マイナスイオン放出セラミックボール、トルマリンボール、遠赤外線放出ボールや麦飯石ボール等の重り、６は上記重りを包んだネットである。
【００１３】
本発明の浴槽内用の腰掛けは、浴槽内に沈めて腰掛けとして使用すれば、上記箱本体１の表面に付着したセラミック粒４から遠赤外線が半永久的にお湯内に放出され、お湯がまろやかになり、そして温まるお湯となり、体も温められるようになる。
【００１４】
また、マイナスイオン放出セラミックボール、トルマリンボール、遠赤外線放出ボールや麦飯石ボール等の温まり効果のあるものを重りとして箱本体１内に設けたので上記スリット２を通してお湯の温まり効果が更に高まる。
【００１５】
体を温めると血行が良くなり全臓器の細胞の新陳代謝を促進させ、病気の予防や回復にも役立つ。体の筋肉の７０％は下半身にあり、体を温める事で腰痛やヒザ痛の温熱治療にもなる。また、汗を出すことは皮膚表面の汚れやばい菌を洗い流してくれ、肌に潤いを与え、しっとりとした肌を作る効果がある。
【図面の簡単な説明】
【００１６】
【図１】本発明の浴槽内用の腰掛けの斜視図である。
【図２】本発明の浴槽内用の腰掛けの箱本体内に入れる重りの説明図である。
【図３】本発明の浴槽内用の腰掛けの箱本体の一部の縦断側面図である。
【符号の説明】
【００１７】
１  中空の箱本体
２  スリット
３  樹脂
４  セラミック粒
５  重り
６  ネット
【図１】
2005110926.tif 000003
【図２】
2005110926.tif 000004
【図３】
2005110926.tif 000005
(57)【要約】【課題】  衣服表面の塵埃を容易に除去できるのみならず、使用者の精神的疲労を癒し、かつ装飾的効果も有する衣服ブラシを提供すること。【解決手段】  人形または動物の形状のぬいぐるみと、その腹部に立毛を有するブラシ生地を有し、かつ好適には前記ぬいぐるみの口部または腹部に手指の挿入可能な開口部を有する衣服ブラシ。【選択図】  図１
2005110960.tif 000002
【特許請求の範囲】
【請求項１】
人形または動物の形状のぬいぐるみと、その腹部に立毛を有するブラシ生地を有する衣服ブラシ。
【請求項２】
人形または動物の形状のぬいぐるみと、その腹部に立毛を有するブラシ生地を有し、かつ前記ぬいぐるみの口部または腹部に手指の挿入可能な開口部を有する衣服ブラシ。
【発明の詳細な説明】
【技術分野】
【０００１】
本発明は、衣服ブラシ、とくに携帯用衣服ブラシに関する。
【背景技術】
【０００２】
従来、手指の挿入可能な開口部を有する衣服ブラシとしては、次に示される特許文献１または特許文献２などが知られている。
【０００３】
【特許文献１】実公昭４１−１７０２２号公報
【特許文献２】実公昭４１−７１０６号公報
【発明の開示】
【発明が解決しようとする課題】
【０００４】
上記のような衣服ブラシは、機能本位であり、使用者の精神的疲労を癒す要素に乏しいし、また装飾的効果も乏しい。
本発明は、これらの欠点を解消するためになされたものであり、衣服表面の塵埃を容易に除去できるのみならず、使用者の精神的疲労を癒し、かつ装飾的効果も有している衣服ブラシを提供することを目的とする。
【課題を解決するための手段】
【０００５】
上記目的は、人形または動物の形状のぬいぐるみと、その腹部に立毛を有するブラシ生地を有する衣服ブラシを提供することによって達成される。
また、上記目的は、人形または動物の形状のぬいぐるみと、その腹部に立毛を有するブラシ生地を有し、かつ前記ぬいぐるみの口部または腹部に手指の挿入可能な開口部を有する衣服ブラシを提供することによって、より好適に達成される。
【発明の効果】
【０００６】
本発明によれば、衣服表面の塵埃を容易に除去できるのみならず、使用者の精神的疲労を癒し、かつ装飾的効果も有する衣服ブラシを提供することができる。
【発明を実施するための最良の形態】
【０００７】
本発明において、人形または動物の形状のぬいぐるみの腹部に使用される立毛を有するブラシ生地としては、実公昭３８−２１３２４号公報、同４１−１７０２２号公報に記載されているような、繊維、糸、毛などの短い立毛を基布面に緻密に設け、かつ立毛を一定方向に傾斜させたブラシ生地、または短い立毛を基布面に緻密に設け、かつ立毛をそれぞれ反対方向または違った方向に傾斜させたブラシ生地などが好適なものとして挙げられる。
【０００８】
立毛または基布の素材としては、ポリエステル系樹脂、ポリアミド系樹脂、ポリオレフイン系樹脂（ポリエチレン、ポリプロピレンなど）、ポリスチレン系樹脂、ビニルアルコール系樹脂（ポリビニルアルコール、エチレン−ビニルアルコール系共重合体など）の１種または２種以上の樹脂が挙げられる。また、これらの立毛または基布中には、抗菌剤または消臭剤を配合するか、または抗菌性または消臭性繊維を含有させることもできる。
【０００９】
ぬいぐるみとしては、人形または動物の形状のぬいぐるみが使用できるが、動物のぬいぐるみが、使用者の精神的疲労を癒す上で、また装飾的効果の点でもより好適である。ここで、動物としては、犬、猫、熊、ライオン、トラ、パンダ、コアラなどの四足動物が例示される。ぬいぐるみ本体の基材としては、表面が立毛織物状の基材などが好適に使用される。
【００１０】
ぬいぐるみの内部には、綿、好適にはポリエステル綿などの詰め物を適宜充填することができる。詰め物はぬいぐるみの内部全体に亘って充填することが、動物などの
形をきれいにまた可愛らしくみせることができ、装飾的効果の点から好適である。
【００１１】
手指の挿入可能な開口部は、ぬいぐるみの口部または腹部に設けることが、そこに手指を挿入するだけで、とくに指でぬいぐるみを掴むことなく、塵埃を容易に除去できることから好適である。
図１は、開口部をぬいぐるみの口部に設けたものであり、図２は、開口部をぬいぐるみの腹部の表面に沿って設けたものである。
【実施例１】
【００１２】
図１は、本発明の衣服ブラシ１の斜視図であり、アクリル製の立毛織物状基材からなる犬のぬいぐるみ（全長１５ｃｍ×巾１１ｃｍ）２の腹部にブラシ生地３を設け、さらに前足および後足の下側にも同様のブラシ生地４、５を設け、さらにぬいぐるみの口部に手指の挿入可能な開口部６を設けたものである。またぬいぐるみの内部には詰め物としてポリエステル綿を全体に亘り充填した。
【実施例２】
【００１３】
図２は、本発明の他の例を示す衣服ブラシ１の斜視図であり、アクリル製の立毛織物状基材からなる犬のぬいぐるみ（全長１５ｃｍ×巾１１ｃｍ）２の腹部にブラシ生地３を設け、さらに前足および後足の下側にも同様のブラシ生地４、５を設け、さらにぬいぐるみの腹部に手指の挿入可能な開口部７を設けたものである。またぬいぐるみの内部には詰め物として実施例１と同様ポリエステル綿を全体に亘り充填した。
【産業上の利用可能性】
【００１４】
衣服表面の塵埃を容易に除去できるのみならず、使用者の精神的疲労を癒し、かつ装飾的効果も有する衣服ブラシを提供することができることから、とくに携帯用の洋服ブラシとして有用である。
【図面の簡単な説明】
【００１５】
【図１】本発明の衣服ブラシの斜視図である。（実施例１）
【図２】本発明の他の例を示す衣服ブラシの斜視図である。（実施例２）
【符号の説明】
【００１６】
１      衣服ブラシ
２      犬のぬいぐるみ
３      腹部のブラシ生地
４、５前足および後足の下側のブラシ生地
６、７手指を挿入できる開口部
【図１】
2005110960.tif 000003
【図２】
2005110960.tif 000004